(57)【要約】【課題】ロック機構付きの給紙トレイを備えた画像形成装置において、給紙トレイ以外の場所で紙詰まりが発生した場合にも、ロックの機能を最低限維持しつつ非管理者が紙詰まりを解消できるようにする。【解決手段】画像形成装置１は、給紙トレイ１６ａ，１６ｂ，．．．と、給紙トレイ給紙トレイ１６ａ，１６ｂ，．．．に収納された用紙を取り出せないように給紙トレイ１６ａ，１６ｂ，．．．をそれぞれロックするロック機構１５ａ，１５ｂ，．．．と、給紙トレイ１６ａ，１６ｂ，．．．の配設位置以外の位置を少なくとも含む検出位置で紙詰まりを検出する検出部（ジャム検出部）１７ａ，１７ｂ，．．．と、ロック機構１５ａ，１５ｂ，．．．により給紙トレイ１６ａ，１６ｂ，．．．がロックされた状態でジャム検出部１７ａ，１７ｂ，．．．で紙詰まりが検出された場合、給紙トレイ毎にロックを解除可能にする処理を実行する制御部１０と、を備える。【選択図】図１Ａ
2015182443.tif 000002
【特許請求の範囲】
【請求項１】
複数の給紙トレイと、該給紙トレイに収納された用紙を取り出せないように該給紙トレイをロックするロック機構と、を備えた画像形成装置であって、
前記給紙トレイの配設位置以外の位置を少なくとも含む検出位置で、紙詰まりを検出する検出部と、前記ロック機構により前記複数の給紙トレイがロックされた状態で前記検出部で紙詰まりが検出された場合、前記給紙トレイ毎にロックを解除可能にする処理を実行する制御部と、を備えたことを特徴とする画像形成装置。
【請求項２】
前記制御部は、前記ロック機構により前記複数の給紙トレイがロックされた状態で前記検出部で紙詰まりが検出された場合、該紙詰まりの検出位置に応じて、前記給紙トレイ毎にロック解除の可否を制御することを特徴とする請求項１に記載の画像形成装置。
【請求項３】
前記制御部は、前記検出部による紙詰まりの検出位置と、前記複数の給紙トレイのうち該検出位置での紙詰まりを解消するために引き出す必要がある或いは引き出した方が解消し易い給紙トレイとを対応付けたテーブルを有し、前記検出部で検出された紙詰まりの検出位置に応じた給紙トレイについてロックを解除可能にすることを特徴とする請求項１又は２に記載の画像形成装置。
【請求項４】
前記検出部による紙詰まりの検出位置と、前記複数の給紙トレイのうち該検出位置での紙詰まりを解消するために引き出す必要がある或いは引き出した方が解消し易い給紙トレイとを対応付けを、管理者の操作により設定する設定部を備えたことを特徴とする請求項１〜３のいずれか１項に記載の画像形成装置。
【請求項５】
前記処理が実行できない他の給紙トレイをさらに備えたことを特徴とする請求項１〜４のいずれか１項に記載の画像形成装置。
【請求項６】
前記検出部による紙詰まりの検出位置と、前記処理の対象となった給紙トレイの位置とを示す画像を表示する表示部を備えたことを特徴とする請求項１〜５のいずれか１項に記載の画像形成装置。
【請求項７】
前記制御部は、前記検出部による紙詰まりの検出がなくなった場合、前記処理の対象となった給紙トレイのロックを再開することを特徴とする請求項１〜６のいずれか１項に記載の画像形成装置。
【請求項８】
複数の給紙トレイと、該給紙トレイに収納された用紙を取り出せないように該給紙トレイをロックするロック機構と、を備えた画像形成装置におけるロック解除方法であって、
前記画像形成装置の検出部が、前記給紙トレイの配設位置以外の位置を少なくとも含む検出位置で紙詰まりを検出する検出ステップと、
前記画像形成装置の制御部が、前記ロック機構により前記複数の給紙トレイがロックされた状態で前記検出ステップで紙詰まりが検出された場合、前記給紙トレイ毎にロックを解除可能にする処理を実行する解除ステップと、
を有することを特徴とするロック解除方法。
【発明の詳細な説明】
【技術分野】
【０００１】
本発明は、画像形成装置及びロック解除方法に関し、より詳細には、ロック機構付きの給紙トレイを備えた画像形成装置、及びその画像形成装置においてロックを解除するロック解除方法に関する。
【背景技術】
【０００２】
プリンタ機器、コピー機、コピー機能以外の機能も付加された複合機などの画像形成装置には、一般的に、手差しトレイの代わりに或いは手差しトレイに加え、記録用紙を多く収納するための給紙トレイが設けられている。また、画像形成装置は、課金機能をもたせ、コンビニエンスストアや学校等の公共の施設などに設置されることもある。その場合、利用者は、使用料金を支払って画像形成装置のコピー機能やプリント機能を利用している。
【０００３】
このように画像形成装置は公共の施設などに設置されることがあり、そのため、給紙トレイに収納された用紙の盗難対策を行う必要がある。特許文献１には、有価証券等の特殊紙を盗難から保護するために、給紙トレイ（給紙カセット）にロックを施す仕組みが開示されている。
【０００４】
また、このようなロックに関し、特許文献２には、複数の給紙トレイの状態を監視し、それら複数の給紙トレイが所定のエラー状態となった場合に全ロックを解除する技術が開示されている。ここで所定のエラーとは、用紙詰まり等により給紙トレイを引き出して対処する必要があるエラーであるが、あくまで上記複数の給紙トレイの監視により検出されるエラーである。
【先行技術文献】
【特許文献】
【０００５】
【特許文献１】特開２００４−２９２１４４号公報
【特許文献２】特開２００７−２１０２５７号公報
【発明の概要】
【発明が解決しようとする課題】
【０００６】
しかしながら、特許文献２に記載の技術をはじめとする従来技術では、給紙トレイ以外の場所（本体側）で紙詰まりが発生した場合について考慮されておらず、そのような場合で、且つ紙詰まり解消のために給紙トレイを開状態にする必要がある場合や開状態にした方が解消し易い場合には、管理者がロック解除する必要があり、特に複数台を管理している管理者にとって負担が大きくなる。
【０００７】
さらに、この従来技術では、１つの給紙トレイでエラーが検出された場合にも全ての給紙トレイのロックを解除しているため、ユーザがわざとエラーを生じさせた際、若しくはタイミング良くエラーが生じた際に、有価証券等の特殊紙が収納された他の給紙トレイを開けてそこからその特殊紙が盗まれるといった問題も生じる。
【０００８】
本発明は、上述のような実状に鑑みてなされたものであり、その目的は、ロック機構付きの給紙トレイを備えた画像形成装置において、給紙トレイ以外の場所で紙詰まりが発生した場合においても、ロックの機能を最低限維持しつつ、非管理者が紙詰まりを解消できるようにすることにある。
【課題を解決するための手段】
【０００９】
上記課題を解決するために、本発明の第１の技術手段は、複数の給紙トレイと、該給紙トレイに収納された用紙を取り出せないように該給紙トレイをロックするロック機構と、を備えた画像形成装置であって、前記給紙トレイの配設位置以外の位置を少なくとも含む検出位置で、紙詰まりを検出する検出部と、前記ロック機構により前記複数の給紙トレイがロックされた状態で前記検出部で紙詰まりが検出された場合、前記給紙トレイ毎にロックを解除可能にする処理を実行する制御部と、を備えたことを特徴としたものである。
【００１０】
本発明の第２の技術手段は、第１の技術手段において、前記制御部は、前記ロック機構により前記複数の給紙トレイがロックされた状態で前記検出部で紙詰まりが検出された場合、該紙詰まりの検出位置に応じて、前記給紙トレイ毎にロック解除の可否を制御することを特徴としたものである。
【００１１】
本発明の第３の技術手段は、第１又は第２の技術手段において、前記制御部は、前記検出部による紙詰まりの検出位置と、前記複数の給紙トレイのうち該検出位置での紙詰まりを解消するために引き出す必要がある或いは引き出した方が解消し易い給紙トレイとを対応付けたテーブルを有し、前記検出部で検出された紙詰まりの検出位置に応じた給紙トレイについてロックを解除可能にすることを特徴としたものである。
【００１２】
本発明の第４の技術手段は、第１〜第３のいずれか１の技術手段において、前記検出部による紙詰まりの検出位置と、前記複数の給紙トレイのうち該検出位置での紙詰まりを解消するために引き出す必要がある或いは引き出した方が解消し易い給紙トレイとを対応付けを、管理者の操作により設定する設定部を備えたことを特徴としたものである。
【００１３】
本発明の第５の技術手段は、第１〜第４のいずれか１の技術手段において、前記処理が実行できない他の給紙トレイをさらに備えたことを特徴としたものである。
【００１４】
本発明の第６の技術手段は、第１〜第５のいずれか１の技術手段において、前記検出部による紙詰まりの検出位置と、前記処理の対象となった給紙トレイの位置とを示す画像を表示する表示部を備えたことを特徴としたものである。
【００１５】
本発明の第７の技術手段は、第１〜第６のいずれか１の技術手段において、前記制御部は、前記検出部による紙詰まりの検出がなくなった場合、前記処理の対象となった給紙トレイのロックを再開することを特徴としたものである。
【００１６】
本発明の第８の技術手段は、複数の給紙トレイと、該給紙トレイに収納された用紙を取り出せないように該給紙トレイをロックするロック機構と、を備えた画像形成装置におけるロック解除方法であって、前記画像形成装置の検出部が、前記給紙トレイの配設位置以外の位置を少なくとも含む検出位置で紙詰まりを検出する検出ステップと、前記画像形成装置の制御部が、前記ロック機構により前記複数の給紙トレイがロックされた状態で前記検出ステップで紙詰まりが検出された場合、前記給紙トレイ毎にロックを解除可能にする処理を実行する解除ステップと、を有することを特徴としたものである。
【発明の効果】
【００１７】
本発明によれば、ロック機構付きの給紙トレイを備えた画像形成装置において、給紙トレイ以外の場所で紙詰まりが発生した場合においても、ロックの機能を最低限維持しつつ、非管理者が紙詰まりを解消できるようになる。
【図面の簡単な説明】
【００１８】
【図１Ａ】本発明の第１の実施形態に係る画像形成装置の一構成例を示すブロック図である。
【図１Ｂ】図１Ａの画像形成装置の外観例を示す図である。
【図２】図１Ａ，図１Ｂの画像形成装置におけるロック解除処理の一例を説明するためのフロー図である。
【図３Ａ】図１Ａの画像形成装置においてジャム発生時に表示させるＵＩ画像の一例を示す図である。
【図３Ｂ】図１Ｂの画像形成装置においてジャム発生時に表示させるＵＩ画像の一例を示す図である。
【図４】本発明の第２の実施形態に係る画像形成装置の一構成例を示すブロック図である。
【図５】図４の画像形成装置におけるロック設定処理の一例を説明するためのフロー図である。
【図６】図４の画像形成装置における操作部の一例を示す外観図である。
【図７Ａ】図５のロック設定処理で表示させるロック解除設定用ＵＩ画像の一例を示す図である。
【図７Ｂ】図５のロック設定処理で表示させるロック解除用ＵＩ画像の一例を示す図である。
【図７Ｃ】図５のロック設定処理で表示させるロック用ＵＩ画像の一例を示す図である。
【図８】図７ＡのＵＩ画像でＮｏ．３が選択された場合に、図４の画像形成装置で参照されるテーブルの一例を示す図である。
【図９】図５のロック設定処理がなされた後に、図４の画像形成装置で実行されるロック解除処理の一例を説明するためのフロー図である。
【図１０】本発明の第３の実施形態に係る画像形成装置において実行されるロック解除処理の一例を説明するためのフロー図である。
【図１１Ａ】図１０のロック解除処理において表示させるＵＩ画像の一例を示す図である。
【図１１Ｂ】図１０のロック解除処理において表示させるＵＩ画像の他の例を示す図である。
【図１１Ｃ】図１０のロック解除処理において表示させるＵＩ画像の他の例を示す図である。
【発明を実施するための形態】
【００１９】
本発明に係る画像形成装置は、画像形成機能（印刷機能）を備えた装置であり、例えばコピー機能、プリンタ機能、ファクシミリ機能などをもつ複合機（ＭＦＰ）をはじめ、プリンタ機器、ファクシミリ機器、コピー機などが挙げられる。以下、本発明の様々な実施形態について、図面を参照しながら説明する。
【００２０】
＜第１の実施形態＞
図１を参照しながら、本発明の第１の実施形態について説明する。図１Ａは、本実施形態に係る画像形成装置の一構成例を示すブロック図で、図１Ｂは、図１Ａの画像形成装置の外観例を示す図である。
【００２１】
図１Ａ，図１Ｂに示すように、本実施形態に係る画像形成装置１は、画像形成装置１の全体を制御する制御部１０と、用紙上に画像を形成することで印刷を行う印刷部１３と、紙詰まり（ジャム）を検出するジャム検出部１７ａ，１７ｂ，．．．と、複数の給紙トレイ１６ａ〜１６ｅと、各給紙トレイについて、給紙トレイに収納された用紙を取り出せないようにその給紙トレイをロックするロック機構１５ａ，１５ｂ，．．．と、を備えている。給紙トレイ１６ｅは、画像形成装置１のオプションとして追加できる大容量の給紙トレイである。
【００２２】
なお、以下では、ロック機構１５ａ，１５ｂ，．．．、給紙トレイ１６ａ，１６ｂ，．．．、ジャム検出部１７ａ，１７ｂ，．．．を、それぞれ代表してロック機構１５、給紙トレイ１６、ジャム検出部１７として説明する場合もある。
【００２３】
その他、ここで例示する画像形成装置１は、ユーザからの操作入力を受け付ける操作部１１と、原稿の画像を光学的に読み取る原稿読取部１２と、外部のパーソナルコンピュータ（ＰＣ）等と通信を行う通信部１４と、を備えている。
【００２４】
以下、各構成要素について詳細に説明する。
制御部１０は、プログラム保存領域に画像形成装置１の全体を制御するための制御プログラム（ファームウェア）を格納し、その制御プログラムを動作させることで各種制御を行う。例えば制御部１０は、ＣＰＵ（Central Processing Unit）又はＭＰＵ（Micro Processing Unit）、作業領域としてのＲＡＭ（Random Access Memory）、及び上記制御プログラムや各種設定内容を記憶した記憶装置などの制御デバイスで構成することができ、集積回路／ＩＣ（Integrated Circuit）チップセットとして搭載することもできる。この記憶装置としては、フラッシュＲＯＭ（Read Only Memory）、ＥＥＰＲＯＭ（Electrically Erasable and Programmable  ＲＯＭ）、ＨＤＤ（Hard Disk Drive）等が挙げられ、画像を保存するためのＨＤＤ等の記憶部（図示せず）を利用することもできる。
【００２５】
操作部１１は、キー操作部１１ａ及びタッチパネル部１１ｂを有する。ユーザは、操作部１１から、画像形成装置１を使用する際に設定値等を入力したり、処理を実行させたりすることが可能となっている。キー操作部１１ａは、ユーザ操作を受け付けるためのハードウェアキーである。
【００２６】
タッチパネル部１１ｂは、液晶ディスプレイや有機エレクトロルミネッセンスディスプレイ等の表示部と、ユーザによるその表示部の表示領域上でのタッチ操作を検出するタッチセンサ部とで構成される。タッチセンサ部として設けるセンサとしては、例えば静電容量方式のセンサや抵抗膜方式のセンサなどが挙げられる。
【００２７】
この表示部にはＵＩ（User Interface）画像が表示され、表示されたＵＩ画像に対してタッチセンサ部でタッチが検出された場合、制御部１０の制御により、そのタッチ位置に対応するＵＩ画像内の画像が示す処理が実行されると共に、必要に応じてＵＩ画像の遷移がなされる。
【００２８】
原稿読取部１２は、読取対象となる原稿（用紙）を載置する原稿台の下面に設けられ、原稿台に載置された用紙上の原稿画像を光学的に読み取る部位であり、スキャナ部とも呼ばれる。また、画像形成装置１には、原稿台の上にＡＤＦ（Auto Document Feeder）を設けることもできる。ＡＤＦは、原稿を自動搬送するための装置であり、自動搬送された原稿の画像が原稿読取部１２で読み取られることになる。無論、ＡＤＦに別途原稿読取部１２を設けておいてもよい。ここで、ＡＤＦとしては、ＳＰＦ（Single Pass Feeder）やＲＳＰＦ（Reversing Single Pass Feeder）などと呼ばれる装置も含まれるものとする。
【００２９】
印刷部１３は、原稿読取部１２から画像データを直接入力するか、若しくは図示しない画像処理部で原稿読取部１２からの画像データに画像処理を施した後の画像データを入力し、その画像を印刷用紙等に印刷する。印刷部１３での印字方式は、例えば電子写真方式、インクジェット方式などが挙げられる。
【００３０】
通信部１４は、例えばＬＡＮ（Local Area Network）と接続され、ＰＣからの印刷ジョブを受信したり、インターネット経由による電子メールデータの通信及びインターネットＦＡＸの通信を行ったりする通信インターフェースである。インターネットＦＡＸは、送受信内容を示すファイルを電子メールに添付して送受信するものである。
【００３１】
給紙トレイ１６は、画像形成装置１の本体から引き出すことで用紙の出し入れが可能なようにカセット状となっており、給紙カセット、給紙マガジンとも呼ばれる。無論、画像形成装置１には、手差しトレイを備えてもよいが、この手差しトレイはロック機構１５によるロックの対象外となる。
【００３２】
ロック機構１５は、各給紙トレイ１６について、用紙の出し入れができないように個別にロックする機構であり、その物理的な機構はどのようなものであってもよい。例えば、ロック機構１５ａは給紙トレイ１６ａのロックを行う機構であり、ロック機構１５ｂは給紙トレイ１６ｂのロックを行う機構である。ロックは、制御部１０からの制御により実行すればよい。つまり、制御部１０は、ある給紙トレイ１６がロック対象となった場合、その給紙トレイに対応するロック機構１５にロック指示を出すことで、そのロック機構１５にその給紙トレイ１６のロックを行わせる。
【００３３】
そして、画像形成装置１では、ロックの解除は、後述する自動解除処理や解除許可処理を除き、画像形成装置１の管理者の操作によってのみ可能となっている。管理者は、所定の権限（少なくともロック解除の権限を含む）を与えられたユーザである。管理者か非管理者ユーザであるかの判定は、ＩＤとパスワードの操作部１１からの入力、若しくはＩＣカード等の認証用カードを用いた入力により行えばよい。
【００３４】
ジャム検出部１７は、給紙トレイ１６の配設位置以外の位置（つまり本体側の位置）を少なくとも含む検出位置で紙詰まり（ジャム）を検出する部位である。検出位置は、印刷を実行する際に用紙を搬送する経路上であればよく、その数も問わない。無論、ジャム検出部１７は、給紙トレイ１６でのジャムを検出するような位置にも設けることが好ましい。ジャム検出部１７としては、例えば回転中であるはずの用紙搬送ローラの停止を検出する部位や、光学的に用紙搬送経路で異物を検出するセンサなどが挙げられ、検出位置に合った検出方式を採用すればよい。
【００３５】
そして、本発明の主たる特徴として、制御部１０は、ロック機構１５により複数の給紙トレイ１６がロックされた状態（ロック対象となる給紙トレイ１６が全てロックされた状態）で、ジャム検出部１７のいずれかでジャムが検出された場合、給紙トレイ１６毎にロックを解除可能にする処理を実行する。この処理には、自動解除処理の他に、例えば解除を許可する処理（解除許可処理と呼ぶ）も含まれる。
【００３６】
自動解除処理とは、上述のような検出がなされた場合に、給紙トレイ毎にロックを解除する処理を指す。例えば、給紙トレイ１６ａ〜１６ｅがロックされた状態で、ジャム検出部１７ｇにてジャムが検出された場合、制御部１０がその検出結果を受けてロック機構１５ａに給紙トレイ１６ａのロック解除を指示し、他のロック機構１５ｂ等にはロック解除を指示しないようにする。
【００３７】
上記解除許可処理は、自動解除処理のように検出後直ぐにロック解除する処理ではなく、上述のような検出があった場合、ユーザによる、給紙トレイについてのロック解除操作（例えばタッチパネル部１１ｂからの操作）を許可する（有効にする）処理を指す。
【００３８】
より好ましくは、上述のような検出があった場合に、まずユーザにロックを解除するかを問い合わせるなどしてロック解除可能な給紙トレイがあることを認識させ、ユーザからロック解除指示を受け付けたときに初めてロックを解除するようにしてもよい。例えば、ジャム検出部１７ｇがジャムを検出した場合、制御部１０がその検出結果を受けて、給紙トレイ１６ａについてのロック解除実行の有無を問い合わせるＵＩ画像（図示せず）をタッチパネル部１１ｂに表示させ、ユーザから実行する旨の操作を受け付けた場合に限り、給紙トレイ１６ａのロックを解除するようにロック機構１５ａに指示する。なお、上記解除許可処理は、例えば５分など所定時間だけ許可する（ロック解除操作を受け付ける）ようにしてもよいし、所定時間として区切らずジャムが解消されるのを確認するまで許可したままとしてもよい。
【００３９】
次に、図２、図３Ａ、及び図３Ｂを参照しながら、画像形成装置１におけるロック解除処理の一例を説明する。図２は、図１Ａ，図１Ｂの画像形成装置におけるロック解除処理の一例を説明するためのフロー図である。また、図３Ａ，図３Ｂは、それぞれ図１Ａ，図１Ｂの画像形成装置においてジャム発生時に表示させるＵＩ画像の一例を示す図である。
【００４０】
まず、制御部１０は、操作部１１からのユーザ操作や外部ＰＣからの印刷ジョブなどにより印刷指示を受けたか否かを判定し（ステップＳ１）、印刷指示を受けた場合に、印刷部１３に指示してその印刷を実行する（ステップＳ２）。操作部１１からのユーザ操作としては、コピー指示や図示しない記憶部に記憶されたファイルの印刷指示などがあり、前者の場合、制御部１０は原稿読取部１２に原稿読取処理の指示も行うことになる。
【００４１】
ステップＳ２の処理が開始された後、制御部１０は、ジャム検出部１７からのジャム検出を待ち（ステップＳ３）、ジャムの検出無く印刷が終了すれば、そのまま処理を終了する。
【００４２】
一方、ステップＳ３でＹＥＳの場合、制御部１０は、ジャム発生をユーザに知らせると共に、全ての給紙トレイ１６ａ〜１６ｅのうち検出位置に応じて予め定められた給紙トレイ１６に対応するロック機構１５にロックの解除を指示して、その給紙トレイ１６をアンロック状態にさせる（ステップＳ４）。このように、制御部１０は、全ての給紙トレイ１６ａ〜１６ｅがロックされた状態でジャムが検出された場合、そのジャムの検出位置に応じて、給紙トレイ１６ａ〜１６ｅ毎にロック解除の可否を制御することが好ましい。ここで、ジャムが発生した場合、その検出位置に応じて一部の給紙トレイ１６のみのロックを解除すればよいが、その検出位置によっては結果的に全ての用紙トレイのロックを解除するような制御を行ってもよい。
【００４３】
ジャムの発生は、タッチパネル部１１ｂに図３ＡのＵＩ画像３０又は図３ＢのＵＩ画像３５を表示させるなどして、ユーザに知らせる。ＵＩ画像３０には、用紙が詰まった旨の文章と共に、その解消手順を示すＵＩ画像（図示せず）へ遷移するための解消手順キー３１と、ジャム位置を示す画像形成装置の模式図３２とが表示されている。
【００４４】
図３Ａにおける模式図３２は、オプションの給紙トレイ１６ｅが装備されていない場合のものであり、図３Ｂにおける模式図３２は、図１Ｂで例示したように給紙トレイ１６ｅが装備されている場合のものである。いずれの模式図３２においても、ジャム検出部１７ａ〜１７ｋ（及び図３Ｂの場合にはジャム検出部１７ｍ）の検出位置が符号３４で示すように▽で表示されており、且つ、ジャムが実際に検出された位置（ジャム発生位置）が符号３３で示すように▼で表示されている。ユーザは、このジャム発生位置を視認しながら必要に応じて解消手順キー３１の選択により解消手順を示すＵＩ画像を表示させ、ジャムを解消することになる。
【００４５】
ステップＳ４の後、制御部１０は、ジャム検出部１７によるジャムの検出がなくなったか否かを判定し（ステップＳ５）、なくなった場合（ジャムが解消された場合）、自動解除処理の対象となった給紙トレイ１６のロックを再開する（ステップＳ６）。ここでは、ロック再開後は処理を終了するように図示しているが、実際にはジャム解消後、自動的に又はユーザが操作部１１のスタートキーなどを押下することで、印刷が再開されることになる。なお、給紙トレイの開閉については触れていないが、当然、閉じられた状態にならないとステップＳ６の処理は行わない。
【００４６】
ステップＳ５，Ｓ６の代替処理として、管理者、非管理者ユーザに拘わらず、このスタートキーを押すことで、再ロックするようにしてもよい。無論、管理者が再ロックしなければならないように構成することもできる。これは、給紙トレイ１６が大容量トレイである場合など、この機会にできるだけ多く入れておきたい場合もあるためであり、管理者は給紙トレイ１６を引き出し、確認後（例えばＯＫキーを押せば）、再ロックがなされるようにすればよい。但し、ステップＳ５，Ｓ６のような処理を行う方が管理者の手間が不要となるため好ましいと言える。
【００４７】
以上のように、本体や給紙トレイ１６においてジャムが発生した場合には、給紙トレイ１６のロックを例えば必要な分だけ解除することで、ロックの機能を最低限維持して用紙盗難を防止しつつ、非管理者がジャムを解消できるようになる。例えば、本体でジャムが発生した場合のうち或る給紙トレイ１６の付近で発生した場合については、その給紙トレイ１６のロックを解除することで、非管理者でもその解除された給紙トレイ１６を開けてジャムを解消させることができる。  
【００４８】
そして、このようなジャム発生に応じたロック解除トレイの決定のために、制御部１０は次のようなテーブルを格納しておくことが好ましい。このテーブルは、ジャム検出部１７によるジャムの検出位置と、複数の給紙トレイ１６のうちその検出位置でのジャムを解消するために引き出す必要がある或いは引き出した方が解消し易い給紙トレイとを対応付けたものである。
【００４９】
そして、制御部１０は、このテーブルを参照して、ジャム検出部１７で検出されたジャムの検出位置に応じた給紙トレイ１６についてロックを解除すればよい。例えば、ジャム検出部１７によるジャムの検出位置が本体側であって且つ複数の給紙トレイ１６ａ〜１６ｅが設けられた領域に近い場合、その全てに対してロックを解除することもできる。
【００５０】
また、このような対応付けは、基本的に画像形成装置１における給紙トレイ１６や給紙トレイ１６からの用紙搬送経路の配置により異なるため、メーカや機種により異なるのが常であり、その機種に応じたものを適宜採用すればよい。無論、上記のようなテーブルを持たなくても、同様の考え方に基づき予め定めた対応付けに従って、ロックを解除する給紙トレイ１６を決定し、解除するようにしてもよい。
【００５１】
以上、自動解除処理について説明したが、上記解除許可処理を適用した場合には、例えばロック解除が必要な給紙トレイ１６だけロック解除操作を受け付け可能にすればよい。この場合にも同様にロックの機能を最低限維持して用紙盗難を防止しつつ、非管理者がジャムを解消できるようになる。このように、本実施形態によれば、給紙トレイ以外の場所で紙詰まりが発生した場合においても、ロックの機能を最低限維持しつつ、非管理者が紙詰まりを解消できるようになる。
【００５２】
＜第２の実施形態＞
本発明の第２の実施形態について、図４〜図９を参照しながら説明する。図４は、本実施形態に係る画像形成装置の一構成例を示すブロック図である。本実施形態に係る画像形成装置は、第１の実施形態において、管理者が上記の自動解除処理を設定できるようにしたものである。以下、本実施形態について説明するが、第１の実施形態と同様の点についてはその説明を省略する。
【００５３】
図４で例示するように、本実施形態に係る画像形成装置１ａは、図１Ａの画像形成装置１において、管理者の操作により画像形成装置１の各種設定を実行する設定部１０ａを備えている。図４では、設定部１０ａは制御部１０内に設け、操作部１１からの管理者による操作を入力し、設定を実行する例を挙げている。無論、設定部１０ａは制御部１０外に設けてもよい。
【００５４】
そして、本実施形態では、上記の各種設定には上記対応付けの設定を含むものとする。つまり、設定部１０ａは、ジャム位置と自動解除する給紙トレイとの対応付けを、管理者の操作により設定することが可能となっている。制御部１０が上記テーブルを有する場合には、この設定はテーブルの中身の設定に該当し、以下、テーブルを有する例で説明する。ジャム位置によって、給紙トレイ１６のロックを解除するかどうかを設定できるようにすることにより、故意にジャムを発生させて用紙を抜き取るようなことを防ぐことができる。
【００５５】
無論、第１の実施形態で説明したように、上記の各種設定には、給紙トレイ１６のロックを実行するか否かの設定も含めればよい。ロック自体を行わない給紙トレイも設けることによって、その給紙トレイについては必要なときだけ用紙を入れて印刷するといった使い方ができる。
【００５６】
次に、図５〜図８を参照しながら、画像形成装置１ａにおけるロック解除処理の前処理であるロック解除設定処理の一例を説明する。図５は、図４の画像形成装置におけるロック設定処理の一例を説明するためのフロー図である。また、図６は、図４の画像形成装置における操作部の一例を示す外観図、図７Ａ、図７Ｂ、図７Ｃはそれぞれ、図５のロック設定処理で表示させるロック解除設定用ＵＩ画像、ロック解除用ＵＩ画像、ロック用ＵＩ画像の一例を示す図である。また、図８は、図７ＡのＵＩ画像でＮｏ．３が選択された場合に、図４の画像形成装置で参照されるテーブルの一例を示す図である。
【００５７】
画像形成装置１ａにおけるロック解除設定処理は、給紙トレイ１６のロック（トレイロック）に関する設定処理（ロック設定処理）に含まれる。このロック設定処理は、設定部１０ａが操作部１１からトレイロックに関する所定の設定操作を受け付けた時点で開始される（ステップＳ１１）。このような設定操作の一例について、図６を参照してキー操作部１１ａ及びタッチパネル部１１ｂの具体例を挙げながら説明する。
【００５８】
キー操作部１１ａは、図６に示すように、電源キー、節電キー、及びホーム画面への移行キー（ホーム移行キー）１１ｃなどを設けておけばよい。但し、この例に限らず、例えばコピー開始のためのスタートキーや数字を入力するための数字キー群など他のキーを設けてもよい。また、タッチパネル部１１ｂの上記表示部に初期画面として表示させるＵＩ画像としては、例えば図６で示すＵＩ画像２０などが挙げられる。
【００５９】
ＵＩ画像２０は、コピー機能選択キー（コピーモード選択キー）２１、Ｅ−ｍａｉｌ機能選択キー２２、ＦＡＸ機能選択キー２３、インターネットＦＡＸ機能選択キー２４など、画像形成装置１に設けられた機能を使用するためのキーがユーザ選択可能に表示されている。その他、ＵＩ画像２０にはロック設定処理を含む各種設定の画面に遷移させるための設定キー２５も、ユーザ選択可能に表示されている。なお、例えばホーム移行キー１１ｃのように、ハードウェアキーの押下操作によってもＵＩ画像の遷移などが可能に構成することができる。なお、ＦＡＸ機能選択キー２３で選択された機能を利用するためには、画像形成装置１にそれぞれ、図示しない印刷部、電話回線等を介してＦＡＸ画像を送受するＦＡＸ通信部を備えておけばよい。
【００６０】
ＵＩ画像２０において設定キー２５が選択されると、各種設定用のＵＩ画像（図示せず）に遷移し、その中にロック設定用ＵＩ画像に遷移するためのキーが表示される。そのキーが選択されると、設定部１０ａは、既に管理者ＩＤでのログインがなされている場合、設定画面としてロック設定用ＵＩ画像（図示せず）を表示させる（ステップＳ１４）。管理者ＩＤでのログインがなされていない場合には、ステップＳ１４に先立ち、制御部１０（又は設定部１０ａ）はＩＤ・パスワードを要求するＵＩ画像を表示させて、入力させ（ステップＳ１２）、ＩＤとパスワードが一致したか否かを判定し（ステップＳ１３）、ＹＥＳの場合にはステップＳ１４に進み、ＮＯの場合にはエラー表示後（ステップＳ１５）、処理を終了する。
【００６１】
上記ロック設定用ＵＩ画像には、例えば、図７Ａ，図７Ｂ，図７Ｃでそれぞれ例示するようなＵＩ画像７０，７６，７７のそれぞれへ遷移させるためのキーを表示しておく。いずれのキーが選択されたかによって、ステップＳ１４に続く処理が異なってくる。
【００６２】
ＵＩ画像７０は、ロック解除設定用のＵＩ画像であり、Ｎｏ．１〜４の４つのラジオボタン７１〜７４が表示されている。ラジオボタン７１は、本体でジャムが発生したときには全ての給紙トレイ１６ａ〜１６ｅのロックを解除する際に選択するボタンである。ラジオボタン７２は、本体の給紙トレイ１６ａの付近（所定範囲）でジャムが発生したときには全ての給紙トレイ１６ａ〜１６ｅのロックを解除する際に選択するボタンである。ラジオボタン７３は、本体の給紙トレイ１６ａの付近（所定範囲）でジャムが発生したときにはその付近の給紙トレイ（例えば給紙トレイ１６ａ又は給紙トレイ１６ａ，１６ｂ）のみのロックを解除する際に選択するボタンである。ラジオボタン７４は、本体でジャムが発生しても自動的なロックの解除を行わない際に選択するボタンである。
【００６３】
なお、給紙トレイ１６自体でジャムが発生した場合については触れていないが、その場合には設定関係なく発生した給紙トレイ１６又はそれに最も近い給紙トレイ１６も併せてロック解除するなどすればよい。
【００６４】
ＵＩ画像７６は、全ての給紙トレイ１６のロックを強制的に解除させるための操作を受け付けるＵＩ画像であり、「いいえ」キー７６ａと「はい」キー７６ｂとが選択可能に表示されている。設定部１０ａは、「いいえ」キー７６ａが選択された場合、ロックの解除を行わず、前画面に戻り、「はい」キー７６ｂが選択された場合、全ての給紙トレイ１６のロックを強制的に（ジャム発生が無くても）解除するようロック機構１５に指示する。
【００６５】
ＵＩ画像７７は、全ての給紙トレイ１６を強制的にロックさせるための操作を受け付けるＵＩ画像であり、「はい」キー７７ａと「いいえ」キー７７ｂとが選択可能に表示されている。設定部１０ａは、「はい」キー７７ａが選択された場合、全ての給紙トレイ１６を強制的にロックするようロック機構１５に指示し、「いいえ」キー７７ｂが選択された場合、ロック処理を新たに行わず、前画面に戻る。
【００６６】
ステップＳ１４に続き、設定部１０ａは、強制解除操作又は強制ロック操作がなされたか否かを判定する（ステップＳ１６）。強制解除操作は、ＵＩ画像７６を表示するためのキーが選択され、「はい」キー７６ｂが選択される操作を指す。強制ロック操作は、ＵＩ画像７７を表示するためのキーが選択され、「はい」キー７７ａが選択される操作を指す。ステップＳ１６でＹＥＳの場合、強制解除操作に対して全ての給紙トレイ１６のロックを解除し、強制ロック操作に対して全ての給紙トレイ１６のロックを行い（ステップＳ１７）、処理を終了する。なお、ステップＳ１６，Ｓ１７での処理は、図面の簡略化のため強制解除操作と強制ロック操作とを同じステップとして記載しているが、実際には一方の操作の有無を判定後、他方の操作の有無を判定し、操作がなされた方の処理（強制解除／強制ロック）を実行すればよい。
【００６７】
ステップＳ１６でＮＯの場合、設定部１０ａは、自動解除処理に関する設定入力のために、ＵＩ画像７０を表示するためのキーが選択されたか否かを判定する（ステップＳ１８）。ステップＳ１８でＹＥＳの場合、設定部１０ａは、ラジオボタン７１〜７４のいずれかの選択を受け付ける（ステップＳ１９）。ステップＳ１９の後、並びにステップＳ１８でＮＯの場合、設定部１０ａは、設定終了操作がなされたか否かを判定し（ステップＳ２０）、ＮＯの場合、ステップＳ１６に戻り、設定操作を待つ。設定終了操作は、例えばホーム移行キー１１ｃ又は別途設けた「終了」キー（図示せず）などが選択される操作を指す。
【００６８】
ステップＳ２０でＹＥＳの場合、設定部１０ａは、ステップＳ１６〜Ｓ１９で設定された内容を記憶し（ステップＳ２１）、処理を終了する。なお、ステップＳ２０でＹＥＳの場合には、ＵＩ画像７０上でいずれも選択されずに設定を終了した場合も含まれるが、その場合はそのまま処理を終了すればよく、図示を省略している。
【００６９】
ステップＳ１９においてラジオボタン７４が選択された場合には、ロックの解除はＵＩ画像７６から行うことになる。また、ステップＳ１９においてラジオボタン７３が選択された場合には、例えば図８で示すテーブル８０のように予め定められた自動解除処理を行うように設定すればよい。テーブル８０では、図３Ｂで例示したジャム検出部１７ａ〜１７ｍと給紙トレイ１６ａ〜１６ｅに対して設定されたテーブルである。
【００７０】
テーブル８０では、例えばジャム位置がジャム検出部１７ａ〜１７ｃのいずれか１又は複数のみであった場合にはいずれもロック解除せず、ジャム位置がジャム検出部１７ｆ及び／又はジャム検出部１７ｇであった場合には給紙トレイ１６ａ，１６ｂのみロックを解除するように設定されている。また、テーブル８０では、ジャム位置がジャム検出部１７ｈ等のように給紙トレイ内部にも対応させるものとなっている。
【００７１】
また、ステップＳ１９では、特に図示しないがテーブル８０のような対応付けを示す表などをＵＩ画像に表示させ、対応付けを管理者が設定できるようにしておくことが好ましい。例えば、ラジオボタン７３が選択された段階で、ジャム発生位置毎にロック解除させる給紙トレイを給紙トレイ１６ａ〜１６ｅの中から選択させるようなＵＩ画像をポップアップ表示させてもよい。
【００７２】
このようにして設定された後、印刷実行時にジャムが発生した場合にロック解除処理が実行されることになる。ＵＩ画像７０においてラジオボタン７１〜７４のいずれかが選択されて設定された場合のロック解除処理の一例について、図９を参照しながら説明する。図９は、図５のロック設定処理がなされた後に、図４の画像形成装置で実行されるロック解除処理の一例を説明するためのフロー図である。
【００７３】
まず、図２のステップＳ１〜Ｓ３と同様の処理がなされ（ステップＳ３１〜Ｓ３３）、ステップＳ３３に続き、ステップＳ３４の処理が実行される。なお、ステップＳ３３でＮＯの場合には処理を終了する。
【００７４】
ステップＳ３４では、制御部１０は、ロック解除の設定がＮｏ．４（ラジオボタン７４の選択）であるか否かを判定し、ＹＥＳの場合、処理を終了する。ステップＳ３４でＮＯの場合、制御部１０は、ロック解除の設定がＮｏ．３、Ｎｏ．２であるかを判定する（ステップＳ３５，Ｓ３６）。無論、判定の順序はこれに限ったものではない。
【００７５】
ロック解除の設定がＮｏ．１である場合（ステップＳ３４〜Ｓ３６でいずれもＮＯの場合）、制御部１０は、ロック機構１５に指示して全ての給紙トレイ１６ａ〜１６ｅのロックを解除する（ステップＳ３７）。ロック解除の設定がＮｏ．２である場合（ステップＳ３５でＮＯ且つステップＳ３６でＹＥＳの場合）、制御部１０は、ステップＳ３３で検出されたジャム発生位置を得て（ステップＳ３８）、給紙トレイ１６ａの付近であるか否かを判定し（ステップＳ３９）、ＮＯの場合には処理を終了する。ステップＳ３９でＹＥＳの場合、ステップＳ３７に進み全ての給紙トレイ１６ａ〜１６ｅのロックを解除する。
【００７６】
ロック解除の設定がＮｏ．３である場合（ステップＳ３５でＹＥＳの場合）、制御部１０は、ステップＳ３３で検出されたジャム発生位置を得て（ステップＳ４０）、給紙トレイ１６ａの付近であるか否かを判定し（ステップＳ４１）、ＮＯの場合には処理を終了する。ステップＳ４１でＹＥＳの場合、ジャム検出位置をキーとしてテーブル８０を参照し、ロック機構１５に指示して近傍の給紙トレイ（例えば給紙トレイ１６ａ，１６ｂ）のロックを解除する（ステップＳ４２）。
【００７７】
ステップＳ３７の後、並びにステップＳ４２の後、制御部１０は、ジャム検出部１７の検出結果を得ることでジャムが解消されたかを判定する（ステップＳ４３）。制御部１０は、ステップＳ４３でＹＥＳとなった段階で、ステップＳ３７又はステップＳ４２で解除された全ての給紙トレイ１６について、ロック機構１５に指示して再ロックを行い（ステップＳ４４）、処理を終了する。
【００７８】
以上、本実施形態に係る画像形成装置１ａによれば、管理者が、ジャム発生位置とロック解除させる給紙トレイ１６との対応付けをその装置の用紙搬送経路や収納される用紙の種類などに応じて適宜設定することができる。例えば、普通紙を収納する給紙トレイのみを自動解除処理の対象とし、封筒をはじめ、有価証券や年賀状等の特殊用紙などの付加価値のある用紙を収納する給紙トレイは、ジャム解消のために必要か否かに拘わらず自動解除処理の対象としないように設定することもできる。
【００７９】
また、本実施形態では、自動解除処理を例に挙げて説明したが、代わりに上記解除許可処理を適用し、管理者に解除許可処理を設定させることもできる。さらに、自動解除処理と解除許可処理のいずれか一方を、トレイ毎に、或いは全トレイについて共通に、管理者が選択できるようにしてもよい。
【００８０】
また、画像形成装置１ａ（又は第１の実施形態に係る画像形成装置１）では、ロック自体ができない給紙トレイを別途設けてもよく、また、ロック自体は可能であるが、上記自動解除処理や上記解除許可処理が実行できない給紙トレイを別途設けてもよい。その場合、ロックの解除は管理者の操作によってのみ可能としておけばよい。一例として、図１Ｂに示すオプションの給紙トレイ１６ｅを、このようなロック不能又は自動解除処理や解除許可処理が不能な給紙トレイとして割り当てておくこともできる。
【００８１】
＜第３の実施形態＞
本発明の第３の実施形態について、図１０〜図１１Ｃを参照しながら説明する。図１０は、本実施形態に係る画像形成装置において実行されるロック解除処理の一例を説明するためのフロー図で、図１１Ａ〜図１１Ｃは、図１０のロック解除処理において表示させるＵＩ画像の一例を示す図である。本実施形態に係る画像形成装置は、第１又は第２の実施形態において、自動解除処理後にロック解除がなされた給紙トレイ１６をユーザに知らせるようにしたものである。以下、本実施形態について説明するが、第１，第２の実施形態と同様の点についてはその説明を省略する。
【００８２】
本実施形態において、画像形成装置１又は画像形成装置１ａは、ジャム検出部１７によるジャムの検出位置と、上記自動解除処理の対象となった給紙トレイ１６の位置とを示す画像を表示する表示部を備える。なお、この表示部は、タッチパネル部１１ｂが有する表示部で代用できる。
【００８３】
この処理について説明すると、まず図９のステップＳ３１〜Ｓ４２と同様の処理がなされ（ステップＳ５１〜Ｓ６２）、ステップＳ６２の後、並びにステップＳ５７の後に、制御部１０がタッチパネル部１１ｂに解除された給紙トレイ１６を表示させるように制御する（ステップＳ６３）。ステップＳ６３の後、図９のステップＳ４３，Ｓ４４と同様の処理がなされる（ステップＳ６４，Ｓ６５）。
【００８４】
ステップＳ６３での表示例としては、例えば図１１Ａで示すＵＩ画像１１０、図１１Ｂで示すＵＩ画像１１３、図１１Ｃで示すＵＩ画像１１６などが挙げられる。ＵＩ画像１１０では、図３Ａにおける模式図３２に対応する模式図１１１として、ジャム検出位置が符号３４で示すように▽で表示され、且つジャム発生位置が符号３３で示すように▼で表示されている。
【００８５】
それに加え、模式図１１１では、図３Ａの給紙トレイ１６ａに対応する給紙トレイのみのロックが解除された場合の例を挙げており、その給紙トレイの領域１１２がグレーで表示されている。また、ＵＩ画像１１０には、グレーのトレイのロックが解除された旨の文章も表示されている。無論、ロックが解除された給紙トレイの表示方法はこれに限らない。
【００８６】
また、ＵＩ画像１１３における模式図１１４、ＵＩ画像１１６における模式図１１７ではそれぞれ、ジャム発生位置が異なるものの、結果としていずれも、図３Ａの給紙トレイ１６ａ〜１６ｄに対応する給紙トレイ全てのロックが解除された場合の例を挙げており、それらの給紙トレイの領域１１５，１１８がグレーで表示されている。
【００８７】
以上のような表示処理により、アンロック状態の給紙トレイ１６がジャム解消のために利用できることをユーザに示唆することができる。よって、場合によっては、ユーザは解消手順キー３１から遷移する解消手順を示すＵＩ画像を必要に応じて参照せずとも、本体のカバーを開けるだけでなくロックが解除された給紙トレイ１６を開けながらジャムを解消することもできる。
【００８８】
また、本実施形態においても自動解除処理を例に挙げて説明したが、上記解除許可処理を適用した場合も同様である。上記表示部において、ジャム検出位置と上記解除許可処理の対象となった給紙トレイ１６の位置とを示す画像を表示すればよい。
【００８９】
＜第４の実施形態＞
本発明の第４の実施形態について説明する。本実施形態に係る画像形成装置は、第１〜第３の実施形態において、制御部１０は、自動解除処理又は解除許可処理の対象として、ジャム検出位置に応じた給紙トレイを選択するのではなく、実際に給紙を行った給紙トレイとそれより上側（排紙側）の給紙トレイとを選択するようにしたものである。その他、第１〜第３の実施形態と同様の点についてはその説明を省略する。
【００９０】
図３Ｂの給紙トレイ１６ａ〜１６ｅがロックされている場合にジャムが検出された場合を例に挙げて説明する。例えば、給紙トレイ１６ｄから給紙した場合にジャムが検出された場合、そのジャム位置に関係なく、給紙トレイ１６ｄ及びそれより上側の給紙トレイ１６ａ〜１６ｃが自動解除処理又は解除許可処理の対象となり、給紙トレイ１６ｅは対象としない。同様に、給紙トレイ１６ｃから給紙した場合にジャムが検出された場合、給紙トレイ１６ａ〜１６ｃが自動解除処理又は解除許可処理の対象となり、給紙トレイ１６ｄ，１６ｅは対象としない。
【００９１】
また、１つの印刷ジョブ中に給紙する給紙トレイの切り替え（変更）がなされる場合もある。その場合にも、ジャム発生時に最後に給紙を開始した給紙トレイを基準として上記対象を決めるか、若しくは両給紙トレイのうち下側（非排紙側）の給紙トレイを基準として上記対象を決めるなどすればよい。
【００９２】
以上、本実施形態によれば、給紙トレイ以外の場所でジャムが発生した場合においても、ジャム解消のために開閉する必要がある可能性をもった給紙トレイのみ、解除するか若しくは解除許可を与えるため、ロックの機能を最低限維持しつつ、非管理者が紙詰まりを解消できるようになる。
【００９３】
＜第１〜第４の実施形態に共通する構成例＞
上述した様々な実施形態における機能を実現するためのソフトウェアのプログラムコードを記録した記録媒体（非一時的な記録媒体）を画像形成装置に供給し、画像形成装置内のマイクロプロセッサ又はＤＳＰ等のコンピュータによりプログラムコードが実行されることによっても、本発明の目的が達成される。つまり、本発明は、プログラムコードやそれを記録したコンピュータ読み取り可能な記録媒体としての形態を採用することができる。この記録媒体としては、例えばＣＤ−ＲＯＭ又はＤＶＤ−ＲＯＭなどの光ディスクやメモリカード等の不揮発性の半導体メモリや、ハードディスクなど様々なものが挙げられる。また、プログラムコードはインターネットからダウンロードして実行することや、放送波から受信して実行することもできる。
【００９４】
また、以上では、本発明に係る画像形成装置について説明したが、その処理の手順を説明したように、本発明は、複数の給紙トレイと、上記給紙トレイに収納された用紙を取り出せないように上記給紙トレイをロックするロック機構と、を備えた画像形成装置におけるロック解除方法としての形態も採り得る。このロック解除方法は、上記画像形成装置の検出部が、上記給紙トレイの配設位置以外の位置を少なくとも含む検出位置で紙詰まりを検出する検出ステップと、上記画像形成装置の制御部が、上記ロック機構により上記複数の給紙トレイがロックされた状態で上記検出ステップで紙詰まりが検出された場合、上記給紙トレイ毎にロックを解除可能にする処理を実行する解除ステップと、を有する。その他の応用例については、画像形成装置について説明した通りであり、その説明を省略する。
【００９５】
なお、上記プログラムコード自体は、換言すると、このロック解除方法でのロック解除処理を、複数の給紙トレイと、上記給紙トレイに収納された用紙を取り出せないように上記給紙トレイをロックするロック機構と、を備えた画像形成装置の制御部のコンピュータに実行させるためのプログラムである。ここで、上記ロック解除処理は、上記給紙トレイの配設位置以外の位置を少なくとも含む検出位置で紙詰まりを検出する検出ステップと、上記ロック機構により上記複数の給紙トレイがロックされた状態で上記検出ステップで紙詰まりが検出された場合、上記給紙トレイ毎にロックを解除可能にする処理を実行する解除ステップと、を有する。その他の応用例については、画像形成装置について説明した通りであり、その説明を省略する。
【符号の説明】
【００９６】
１，１ａ…画像形成装置、１０…制御部、１０ａ…設定部、１１…操作部、１１ａ…キー操作部、１１ｂ…タッチパネル部、１１ｃ…ホーム移行キー、１２…原稿読取部、１３…印刷部、１４…通信部、１５，１５ａ，１５ｂ…ロック機構、１６，１６ａ，１６ｂ，１６ｃ，１６ｄ，１６ｅ…給紙トレイ、１７，１７ａ，１７ｂ，１７ｃ，１７ｄ，１７ｅ，１７ｆ，１７ｇ，１７ｉ，１７ｊ，１７ｋ，１７ｍ…ジャム検出部、２０…ＵＩ画像。
【図１Ａ】
2015182443.tif 000003
【図１Ｂ】
2015182443.tif 000004
【図２】
2015182443.tif 000005
【図３Ａ】
2015182443.tif 000006
【図３Ｂ】
2015182443.tif 000007
【図４】
2015182443.tif 000008
【図５】
2015182443.tif 000009
【図６】
2015182443.tif 000010
【図７Ａ】
2015182443.tif 000011
【図７Ｂ】
2015182443.tif 000012
【図７Ｃ】
2015182443.tif 000013
【図８】
2015182443.tif 000014
【図９】
2015182443.tif 000015
【図１０】
2015182443.tif 000016
【図１１Ａ】
2015182443.tif 000017
【図１１Ｂ】
2015182443.tif 000018
【図１１Ｃ】
2015182443.tif 000019